(57)【要約】【課題】  キャビネットに十分な容量を確保して再生性能の向上を図ることができ、しかも、多車種に汎用的に搭載できるため、量産によるコスト低減を図ることができ、更に、搭載の際の着脱も容易にでき、車載用として好適な低音再生用スピーカ装置を提供すること。【解決手段】  ケルトン方式の低音再生用スピーカ装置１において、スピーカユニット３を収容するキャビネット５は、前後に細長い略直方体形状で、前後方向の長さ寸法が車両のシートクッション２５の奥行き寸法に略近い値に設定され、該キャビネット５内を前後の気室に区画する仕切板７にスピーカユニット３が取り付けられ、キャビネット５の下面を前後方向に沿って敷設された固定用ベルト２３によりシートクッション２５に固定される。【選択図】        図８
2006262430.tif 000002
【特許請求の範囲】
【請求項１】
キャビネットの内部が、スピーカユニットを取り付ける仕切板により、前記スピーカユニットの背面を密封する第１気室と、前記スピーカユニットの前面を囲繞する第２気室とに区画されると共に、前記第２気室を形成するキャビネット壁には、前記スピーカユニットが前記第２気室内に発生した音波の内の特定の周波数帯域の低音を外部に放射するダクト及びポートが装備されて、サブウーファとして車載の音響システムに接続されるケルトン方式の低音再生用スピーカ装置であって、
前記キャビネットは、前後に細長い略直方体形状で、前後方向の長さ寸法が車両のシートクッションの奥行き寸法に略近い値に設定され、前面壁に前記ダクト及びポートが装備され、
前記仕切板は、前記スピーカユニットの前面をキャビネット前面側に向けて支持して、前記キャビネットの内部を前後に区画し、
前記キャビネットの下面に前後方向に沿って敷設された固定用ベルトを前記シートクッションに縛り付けることで、前記シートクッションに前記キャビネットが固定されることを特徴とする低音再生用スピーカ装置。
【請求項２】
前記キャビネットの幅寸法は、車両の左右のシート間に装備される通路幅よりも小さく設定されていることを特徴とする請求項１に記載の低音再生用スピーカ装置。
【請求項３】
前記キャビネットは、下面に前記固定用ベルトが着脱可能に取り付けられる下部ケースと、この下部ケースの上を覆う上部ケースとに上下に分割して形成され、上部ケース及び下部ケースには、互いに先端を突き合わせて連結されることで上下方向の荷重を支える連結支柱が、前記各気室の中央部を横断するように、装備されていることを特徴とする請求項１又は２に記載の低音再生用スピーカ装置。
【請求項４】
前記キャビネットを構成する上部ケースの上面には、クッション材が貼付されていることを特徴とする請求項１乃至３の何れか一項に記載の低音再生用スピーカ装置。
【請求項５】
前記ダクト及びポートが装備される前面壁は、上部ケースの前面壁として一体形成され、前記ダクト及びポートは、左右に並んで２箇所装備されたことを特徴とする請求項１乃至４の何れか一項に記載の低音再生用スピーカ装置。
【請求項６】
前記スピーカユニットへの入力信号を増幅するアンプは、前記キャビネットの外部に別体で付属させることを特徴とする請求項１乃至５の何れか一項に記載の低音再生用スピーカ装置。
【請求項７】
前記キャビネットの下面に前後方向に沿って敷設される固定用ベルトは、前記キャビネットの下面にねじ止めされるベルト押えブラケットが前記キャビネット下面との間に形成するベルト挿通穴に挿通されると共に、前記ベルト挿通穴を形成する前記ブラケットの板部の内面に装着されたシート状弾性摩擦材による押圧力及び摩擦力によって、キャビネットに固定されることを特徴とする請求項１乃至６の何れか一項に記載の低音再生用スピーカ装置。
【請求項８】
前記ベルト押えブラケットの板部に装着されるシート状弾性摩擦材は、前記板部の内面に被せられる内面接触部の一端縁から前記板部の外面に被せられる外面接触部が延出した構造で、前記内面接触部と前記外面接触部とで前記板部を挾持した状態に前記ベルト押えブラケットに装着されることを特徴とする請求項７に記載の低音再生用スピーカ装置。
【請求項９】
前記ダクト及びポートが装備されるキャビネットの前面壁が、キャビネットの下面に直交する垂直面に対して所定角度の傾斜壁に設定されていることを特徴とする請求項１乃至８の何れか一項に記載の低音再生用スピーカ装置。
【請求項１０】
前記ダクト及びポートが装備されるキャビネットの前面壁は、キャビネットの幅方向の中心から外側に向かって後傾した左右対称構造で、左右それぞれの傾斜壁に、ダクト及びポートが装備されたことを特徴とする請求項９に記載の低音再生用スピーカ装置。
【請求項１１】
前記キャビネット下面は、キャビネットの幅方向の両側よりも中央部が凹んだ凹曲面に形成されていることを特徴とする請求項１乃至１０の何れか一項に記載の低音再生用スピーカ装置。
【請求項１２】
前記キャビネット下面の凹曲面が、キャビネットの前後方向に沿って延在する樋状で、該凹曲面がシートクッションとの間に形成する空洞がキャビネットの前後方向に開放していることを特徴とする請求項１１に記載の低音再生用スピーカ装置。
【発明の詳細な説明】
【技術分野】
【０００１】
本発明は、サブウーファとして車載の音響システムに接続されるケルトン方式の低音再生用スピーカ装置に関する。
【背景技術】
【０００２】
近年、車載の音響システムは、車載用のシアターシステムの普及等に伴い、重低音の再生を目的としたサブウーファを装備した構成のものの需要が高くなっている。
従来、サブウーファは、大口径のウーファーユニットを、大型の密閉型キャビネットに収容する構成で、車載用の場合は、大型の密閉型キャビネットとして車両のトランクルームを充当するようにしたものが各種提案された。
【０００３】
しかし、このような構成のものは、サブウーファによるトランクルームの占有により、荷室スペースが無くなり、車両の居住性が著しく低下する。
【０００４】
そこで、車載用のサブウーファの場合は、小型化が重要課題となり、小容量のキャビネットでも高品位な低音再生に適したケルトン方式でシートのアームレストに組み込むようにしたもの（例えば、特許文献１、特許文献２参照）、後部シートのシートクッション（座部）上に載置するもの（例えば、特許文献３参照）等が提案されている。
【０００５】
【特許文献１】特開平５−２７６５８８号公報
【特許文献２】特開平６−１２２３４７号公報
【特許文献３】特開２００４−３３０９５１号公報
【発明の開示】
【発明が解決しようとする課題】
【０００６】
ところが、シートのアームレストに組み込む構成のものは、外形寸法がアームレストの寸法により制限され、小型化に適したケルトン方式を採用したとしても、キャビネット内に再生周波数域に応じた相応の容量を確保することが難しく、容量不足のために再生性能が制限されるという問題があった。
また、アームレストの寸法は車種によって異なるため、多車種に共通に使用可能なように、汎用性を持たせることが難しく、量産によるコスト低減に適さないという問題もあった。
また、シートのアームレストに組み込む構成のものは、簡単に取り外すことができないという問題もあった。
【０００７】
一方、後部シートのシートクッション上に載置するものの場合は、取り外しが簡単にでき、しかも、キャビネットの容量もアームレストに組み込む形式のものと比較すると比較的自由に設定でき、容量不足のために再生性能が制限されるという問題を緩和することができる。
【０００８】
しかし、後部シートのシートクッション上に載置するものの場合は、シートにしっかりと固定する機構が必要になり、シートに固定する機構のために、キャビネットの構造が制限されたり、キャビネット内の容量が犠牲になる虞があった。
例えば、上記特許文献３に記載のスピーカ装置の場合は、車両のシートに付属のシートベルトによってシートに固定するために、シートベルトを挿通可能な比較的に大口径の筒部をキャビネットの側面に貫通形成しているが、その筒部のために、キャビネット内の気室容積が大きく低減するという問題があった。
【０００９】
また、一般に、シートクッション上に載置する従来のサブウーファのキャビネットは、外観形状が単純な直方体状で、音を放射するダクト及びポートを垂直な前面壁又は後面壁に装備する形態となっている。しかし、このような形態では、ダクト及びポートが装備されたキャビネットの前面壁又は後面壁にシート背もたれが接近している場合に、シート背もたれ等によってポートが塞がれる状態になり、ポートからの音の放射が妨げられるため、本来の低音再生性能が十分に発揮できなくなる虞があった。
【００１０】
また、シートクッション上に載置する従来のサブウーファのキャビネットは、外観形状が単純な直方体状で、シートクッション上に接触する下面が平坦面であるため、シートクッションの凹凸によりぐらつき易く、安定した固定が難しいという問題もあった。このような問題を解決するために、キャビネット下面の例えば４隅に、シートクッションへの接触部となる脚部材をねじ止めするようにしたものも提案されているが、ねじ止めする脚部材のために部品点数や組立工程数が増加して、コストアップを招くという問題があった。また、シートクッションと脚部材との小さな接触面積に荷重が集中して作用するため、シートクッションに脚部のくい込み跡が残るといった問題もあった。
【００１１】
本発明が解決しようとする課題としては、キャビネットに十分な容量を確保して再生性能の向上を図ることができ、しかも、多車種に汎用的に搭載できるため、量産によるコスト低減を図ることができ、更に、搭載の際の着脱も容易にでき、着脱用の機構のためにキャビネット内の気室容積の低減やキャビネット構造の複雑化が生じることがない、優れた低音再生用スピーカ装置を提供すること、また、シート背もたれ等によってポートが塞がれてポートからの音の放射が妨げられることがなく、安定した音の放射性能を確保することにより安定した低音再生特性を発揮できる低音再生用スピーカ装置を提供すること、更に、車両のシートクッション上に載置した場合に、ぐらつきがなくしっかりと固定することができ、しかも、シートクッションにくい込み跡が残り難く、シートクッションへの負担を軽減する点でも優れた低音再生用スピーカ装置を提供することがそれぞれ一例として挙げられる。
【課題を解決するための手段】
【００１２】
上記課題を解決するために、請求項１に記載の低音再生用スピーカ装置は、キャビネットの内部が、スピーカユニットを取り付ける仕切板により、前記スピーカユニットの背面を密封する第１気室と、前記スピーカユニットの前面を囲繞する第２気室とに区画されると共に、前記第２気室を形成するキャビネット壁には、前記スピーカユニットが前記第２気室内に発生した音波の内の特定の周波数帯域の低音を外部に放射するダクト及びポートが装備されて、サブウーファとして車載の音響システムに接続されるケルトン方式の低音再生用スピーカ装置であって、前記キャビネットは、前後に細長い略直方体形状で、前後方向の長さ寸法が車両のシートクッションの奥行き寸法に略近い値に設定され、前面壁に前記ダクト及びポートが装備され、前記仕切板は、前記スピーカユニットの前面をキャビネット前面側に向けて支持して、前記キャビネットの内部を前後に区画し、前記キャビネットの下面に前後方向に沿って敷設された固定用ベルトを前記シートクッションに縛り付けることで、前記シートクッションに前記キャビネットが固定されることを特徴とする。
【発明を実施するための最良の形態】
【００１３】
以下、本発明に係る低音再生用スピーカ装置の好適な実施の形態について、図面を参照して詳細に説明する。
図１は本発明に係る低音再生用スピーカ装置の一実施の形態の斜視図、図２は図１に示した低音再生用スピーカ装置の正面図、図３は図２のＡ−Ａ線に沿う断面図、図４は図２のＢ−Ｂ線に沿う断面図、図５は図２のＣ矢視図、図６は図１に示した低音再生用スピーカ装置の車両のシートへ取り付ける前の状態の概略側面図、図７は図１に示した低音再生用スピーカ装置におけるベルト押えブラケットへの固定用ベルトの装着例を示す分解斜視図、図８は図１に示した低音再生用スピーカ装置の車両のシートへ取り付けた状態の説明図、図９は図１に示した低音再生用スピーカ装置の乗用車の後部シートへ取り付けた状態の斜視図である。
【００１４】
この一実施の形態の低音再生用スピーカ装置１は、サブウーファとして車載の音響システムに接続されるケルトン方式の低音再生用スピーカ装置で、スピーカユニット３と、このスピーカユニット３を収容したキャビネット５とから構成されている。
【００１５】
キャビネット５の内部は、図３及び図４に示すように、スピーカユニット３を取り付ける仕切板（バッフル板）７により、スピーカユニット３の背面を密封する第１気室９と、スピーカユニット３の前面を囲繞する第２気室１１とに区画されている。また、第２気室１１を形成するキャビネットの前面壁１６には、スピーカユニット３が第２気室１１内に発生した音波の内の特定の周波数帯域の低音のみを外部に放射するダクト１３及びポート１５が装備されている。
【００１６】
前記キャビネット５は、前後に細長い略直方体形状容器で、図５に示すように、前後方向の長さ寸法Ｌが車両のシートクッション（座部）の奥行き寸法に略近い値の４３５ｍｍに設定されている。
【００１７】
また、ダクト１３及びポート１５が装備されるキャビネット５の前面壁１６は、図３に示すように、キャビネット下面５ａに直交する垂直面Ｙに対して所定角度の傾斜壁に設定されている。具体的には、前面壁１６は、前方に向かって下方に傾斜したスラント形状である。また、前面壁１６は、図１及び図２に示したように、キャビネットの幅方向の中心から外側に向かって後傾した左右の傾斜壁１７，１８を具備した左右対称構造に成っていて、左右のそれぞれの傾斜壁１７，１８に、ダクト１３及びポート１５が装備されている。
【００１８】
仕切板７は、スピーカユニット３に支持に十分な強度を持つ厚板状で、図４に示すように、その周縁部をキャビネット５の内面に形成された挾持部２０に気密に嵌合・挾持されて、キャビネット下面５ａに略垂直に支持されている。
仕切板７は、図３に示すように、スピーカユニット３の前面をキャビネット５前面側に向けて支持して、キャビネット５の内部を前後２つの気室９，１１に区画している。
【００１９】
本実施の形態の低音再生用スピーカ装置１は、図６乃至図９に示すように、キャビネット下面５ａに前後方向に沿って敷設された固定用ベルト２３を車両のシートクッション２５に縛り付けることで、シートクッション２５にキャビネット５が固定される。
【００２０】
固定用ベルト２３は、図６に示すように、車両のシートベルト等と同じ織り生地で形成されたベルト材で、その両端には、これらのベルト両端を連結するワンタッチ式の連結バックル３３ａ，３３ｂが装備されている。
【００２１】
キャビネット５のキャビネット下面５ａには、図５に示すように、キャビネット幅方向の中心線上の前後２箇所に、金属板製のベルト押えブラケット２７が２本のねじ２４によりねじ止め固定されている。各ベルト押えブラケット２７は、図７に示すように、下面５ａとの間にベルト挿通穴２８を形成する。ベルト挿通穴２８を形成しているベルト押えブラケット２７の板部２７ａの内面には、シート状弾性摩擦材３０が装着される。このシート状弾性摩擦材３０は、所定の弾性特性及び摩擦特性（摩擦係数）を有した合成ゴム等によるシートの一面に粘着層が装備されたもので、粘着層を覆う被覆シート３０ａを剥がして、板部２７ａの内面に貼付することで、ベルト押えブラケット２７に固定される。
【００２２】
ベルト挿通穴２８に挿通された固定用ベルト２３は、板部２７ａに貼付されたシート状弾性摩擦材３０によりキャビネット下面５ａに押圧され、シート状弾性摩擦材３０による押圧力及び摩擦力によって、キャビネット５に固定される。
【００２３】
キャビネット下面５ａに固定された固定用ベルト２３は、図８に示すように、その一端をシートクッション２５とシートバック２９との間の隙間３１を通して、シートクッション２５の前面側に引き回し、両端をワンタッチ式の連結バックル３３ａ，３３ｂ等で着脱可能に連結することで、シートクッション２５に着脱可能に締め付け固定される。
【００２４】
なお、連結バックル３３ａ，３３ｂによる結合位置がシートクッション２５の前面側に位置して、連結バックル３３ａ，３３ｂの結合・分離操作が容易になるように、キャビネット５の下面に固定用ベルト２３を固定する際には、次の手順によって行うと良い。
まず、ベルト押えブラケット２７の板部２７ａの内面に、シート状弾性摩擦材３０を貼着する。次に、ベルト押えブラケット２７上のベルト挿通穴２８となる位置に、固定用ベルト２３を通した状態にして、そのベルト押えブラケット２７をねじ２４によりキャビネット下面５ａに固定用ベルト２３が移動自在な程度に仮止めする。
次いで、シートクッション２５の前面側に一方の連結バックル３３ａが位置するように、固定用ベルト２３の位置を調節する。その後、ねじ２４を本締めして、シート状弾性摩擦材３０による押圧力及び摩擦力によって、固定用ベルト２３をキャビネット５に固定する。
【００２５】
以上に説明したキャビネット５は、図２に示すように、幅寸法ｗが車両の左右のシート間に装備される通路（ウォークスルー）幅よりも小さい値（例えば、２１０ｍｍ以下）に設定されている。また、高さ寸法ｈは、１７５ｍｍ程度に設定されている。以上のようなキャビネット５の外形寸法は、乗用車の後部シートに装着したときに、アームレストとして利用可能なように、また、シートから取り外した時に運転席と助手席との間の通路部等に移動できるようにするためである。
【００２６】
本実施の形態の場合、キャビネット５は、図３乃至図５に示したように、下面５ａに固定用ベルト２３が着脱可能に取り付けられる下部ケース５１と、この下部ケース５１の上を覆う上部ケース５３とに上下に分割して形成されている。
これらの下部ケース５１及び上部ケース５３は、いずれも、合成樹脂の射出成形により形成されている。
また、上部ケース５３及び下部ケース５１には、互いに先端を突き合わせて連結されることで上下方向の荷重を支える連結支柱５１ａ，５３ａが、前述した各気室９，１１の中央部を横断するように、適宜間隔で装備されている。
下部ケース５１に形成される連結支柱５１ａには、図５に示すように、下面５ａ側からねじ５４を挿通する中空部が形成されている。また、連結支柱５１ａの先端に突き合わさる連結支柱５３ａの先端には、ねじ５４が螺合する雌ねじが形成されており、前記ねじ５４による締結により、下部ケース５１と上部ケース５３とが結合される。
【００２７】
また、本実施の形態の低音再生用スピーカ装置１では、キャビネット５を構成する上部ケース５３の上面には、クッション材５６が貼付されている。このクッション材５６は、装飾用外皮で、下部ケース５１や上部ケース５３を形成している樹脂よりも弾性に富む発泡樹脂等の成形品、又は、より変形し易いスポンジ材の周囲を、合成皮革、又は本皮革等で覆った構成とすることができる。
【００２８】
本実施の形態の場合、図１にも示したように、ダクト１３及びポート１５が装備される前面壁１６は、上部ケース５３の前面壁として上部ケース５３に一体形成され、ダクト１３及びポート１５は、左右に並ぶ各傾斜壁１７，１８にそれぞれ一つずつ、合計では、左右に並ぶ２箇所に装備されている。
【００２９】
また、本実施の形態の低音再生用スピーカ装置１の場合、スピーカユニット３への入力信号を増幅するアンプは、キャビネット５の外部に別体で付属させる。そのため、キャビネット５の下面５ａの後部側の凹部５９は、アンプからの出力線を繋ぐ入力端子６１が装備されている。
【００３０】
また、本実施の形態の場合、キャビネット下面５ａは、図２に示すように、キャビネットの幅方向の両側よりも中央部が凹んだ凹曲面６２に形成されている。
そして、この凹曲面６２は、図５に示すように、キャビネット５の前後方向に沿って延在する樋状に設けられ、該凹曲面６２がシートクッション２５との間に形成する空洞６３がキャビネット５の前後方向に開放している。
なお、凹曲面６２は、キャビネットの幅方向の中心位置で凹み量が最大となる円弧面で、図２に示すように、キャビネットの幅方向の中心位置で凹み量ｍは、ベルト押えブラケット２７のシートクッション２５側への突出量よりも大きく設定されている。従って、ベルト押えブラケット２７がシートクッション２５に接触することがない。
【００３１】
以上に説明した低音再生用スピーカ装置１は、基本的には、キャビネット５の小型化に適したケルトン方式である上、図８及び図９に示したように、シートクッション２５上に据え付ける構成であるため、従来のアームレストに組み込む方式のものと比較すると、キャビネット５に十分な容量を確保して再生性能の向上を図ることができる。
しかも、車両のシートとは別体で、独立にデザインでき、多車種に汎用的に搭載できるため、量産によるコスト低減を図ることもできる。
【００３２】
また、キャビネット５の下面５ａに敷設された固定用ベルト２３を、シートクッション２５に縛り付けることにより、車両シートに固定する構造で、図６及び図８に示したように、固定用ベルト２３の両端にワンタッチ式の連結バックル３３ａ，３３ｂを装備しておくことで、車両シートへ搭載の際の着脱も容易にできる。
また、固定用ベルト２３は、低音再生用スピーカ装置１の重量を支えるに十分な強度付与しておけば良く、乗員を支えるシートベルトと比較すると、小型軽量のベルトで済むため、シートベルトによりシートへの固定を果たす従来のスピーカ装置と比較すると、着脱用の機構（即ち、ベルト）のためにキャビネット５内の気室容積の低減やキャビネット構造の複雑化が生じることもない。
また、前後に長いキャビネット５が、その長さ方向に沿って敷設されたベルト２３によってシートクッション２５にしっかりと固定されるため、車両走行時の振動等によってスピーカ装置１が振れ動くこともない。
【００３３】
更に、固定用ベルト２３による締め付けによって、シートクッション２５に押圧されるキャビネット下面５ａは、その中央部に凹曲面６２が装備されていて、下面の両側縁しか接触しない。そのため、シートクッション２５の表面にうねり等が有っても、シートクッションのうねりの山の部分が凹曲面６２の形成する空洞６３に逃げて、キャビネット下面５ａの両側縁がしっかりとシートクッション２５に接触するため、下面が平坦面に形成された従来のキャビネットと比較すると、キャビネットの座りが良くなり、ぐらつきが発生し難く、安定した固定が可能になる。
更に、シートクッション２５に接触するキャビネット下面５ａの両側縁は、固定用ベルト２３の挿通方向に沿って延在していて、シートクッション２５へのくい込みによって、キャビネットの幅方向への滑りを防止する効力を発揮するため、キャビネットのシートクッション２５への固定が一層安定する。
【００３４】
また、キャビネット下面の４隅に脚部材をねじ止めする従来構造と比較すると、部品点数や組立工程数の増加を回避でき、コストアップを防止することができる。
更に、キャビネット下面の４隅に脚部材をねじ止めする従来構造と比較すると、シートクッション２５との接触面積を大きくとれるため、シートクッションにくい込み跡が残るといった不都合の発生も抑止することができる。
【００３５】
また、キャビネット下面５ａの凹曲面６２がシートとの間に形成する空洞６３は、キャビネットの前後に開放しているため、キャビネットの振動が空洞６３内に籠もって音を濁らすこともない。
【００３６】
また、本実施の形態の低音再生用スピーカ装置１では、例えば、乗員が増えて、シート上に設置している低音再生用スピーカ装置１が邪魔になるような場合には、低音再生用スピーカ装置１をシートから取り外して車両の前席の左右のシート間の通路（ウォークスルー）に移したり、トランクルームに移動させたりすることもでき、設置位置の変更が容易なことから、乗員数の変更等にも柔軟に対処することができる。
【００３７】
更に、本実施の形態の低音再生用スピーカ装置１では、キャビネット５が上下に分割された上部ケース５３及び下部ケース５１から形成されているため、それぞれのケース５１，５３を個別に樹脂の射出成形によって形成することで、成形金型の構造の複雑化を防止して、コストの低減を図ることができる。
また、前後に２分割する場合と異なり、各気室９，１１内を上下方向に横断する連結支柱５１ａ，５３ａの連結支柱５１ａ，５３ａの突出方向が型抜き方向に一致するため、これらの連結支柱５１ａ，５３ａの形成が容易にでき、各ケースの支柱相互の突き合わせ接続によって、キャビネット５の上下面間の耐荷重の向上が容易になる。その結果、乗員等がキャビネット５の上に寄りかかったり、乗ったりすることがあっても、キャビネット５の変形や破損を防止することのできる十分な強度を確保することが容易になる。
【００３８】
更に、本実施の形態の低音再生用スピーカ装置１では、例えば、図９に示したように、設置位置が乗用車の後部シートの中央の場合に、キャビネット５上面のクッション材５６が後部シートの乗員のアームレストとして良好な感触で利用でき、利便性が向上する。
【００３９】
更に、本実施の形態の低音再生用スピーカ装置１では、ダクト１３及びポート１５が２箇所に装備されたことで、剛性を落とさずにダクト１３及びポート１５の断面積を稼ぐことができ、ダクト１３及びポート１５の寸法設定による再生周波数域の設定自由度が向上する。
【００４０】
更に、本実施の形態の低音再生用スピーカ装置１では、アンプがキャビネット５と別体になることから、キャビネット５内にアンプの発熱が籠もることがなく、アンプの冷却等のための通気口をキャビネット５に装備する必要がないため、キャビネット５の第１気室９に要求される密封度を向上させて、音響性能の向上を図ることができる。
【００４１】
更に、本実施の形態の低音再生用スピーカ装置１では、キャビネット５の下面５ａに敷設した固定用ベルト２３は、キャビネット５の下面５ａとの間にベルト挿通穴２８を形成するブラケット５７の板部２７ａの内面に装着されたシート状弾性摩擦材３０による押圧力及び摩擦力で、キャビネット５の下面５ａに固定されるため、固定用ベルト２３の滑りによってキャビネット５の固定位置がずれることを防止でき、低音再生用スピーカ装置１をシートにしっかりと固定することが可能になる。
また、ベルトの滑りによって固定用ベルト２３の結合端の位置がずれてシートへの着脱操作が困難になることを防止でき、シートへの着脱時の取り扱い性を向上させることができる。
【００４２】
また、本実施の形態のキャビネット５の場合、ダクト１３及びポートポート１５が装備されるキャビネット５の前面壁１６は、図３にも示したように、垂直面Ｙに対して所定角度の傾斜壁に設定されているため、例えば、車両のシート位置を前後方向にずらしたために、前席のシート背もたれが前面壁１６に接近する場合でも、接近した背もたれが音の放出口であるポート１５を塞ぐことがない。
従って、ポートからの音の放射がシート背もたれ等により妨げられることがなく、安定した音の放射性能を確保することにより安定した低音再生特性を発揮できる。
なお、本実施の形態の場合は、ダクト１３及びポートポート１５は、２つの傾斜壁１７，１８にそれぞれ装備されていて、これらの２つの傾斜壁１７，１８が互いに逆向きに傾斜しているため、キャビネットが車内の左右何れの側部パネル等に接近して設置されたとしても、側部パネルがポート１５を塞ぐことも回避でき、安定した音の放射性能を確保することにより安定した低音再生特性を発揮できる。
【００４３】
なお、ベルトの滑り止めのために、ベルト押えブラケット２７の２７ａに装備するシート状弾性摩擦材は、図１０に示す構造とすることも考えられる。
図１０に示したシート状弾性摩擦材４０は、板部２７ａの内面に被せられる内面接触部４１の一端縁から板部２７ａの外面に被せられる外面接触部４２が延出した２つ折り構造で、内面接触部４１と外面接触部４２とで板部２７ａを挾持した状態にベルト押えブラケット２７に装着される。
本実施の形態の場合、内面接触部４１及び外面接触部４２の板部２７ａに接触する面には、図７に示したシート状弾性摩擦材３０の場合と同様に粘着層を設けて、接着により板部２７ａに固定される構成とするが、粘着層の無い構成とすることも考えられる。
該シート状弾性摩擦材４０を装着したベルト押えブラケット２７によって固定用ベルト２３をキャビネットの下面５ａに位置決め固定する手順は、シート状弾性摩擦材３０を装着したベルト押えブラケット２７の場合と同様で良い。
【００４４】
図１０に示したシート状弾性摩擦材４０は、ベルト押えブラケット２７の板部２７ａを挾持する内面接触部４１及び外面接触部４２を一体形成した構造で、ベルトとの摩擦でシート状弾性摩擦材４０に図の矢印（イ）方向の力が作用しても、内面接触部４１と外面接触部４２との間の折り返し部４３がブラケット２７の板部２７ａの端に引っ掛かるため、ベルト押えブラケット２７に対するシート状弾性摩擦材４０の固定強度が強化され、シート状弾性摩擦材の剥離に起因したベルト押え力の低下等の問題の発生を防止し、ベルトの滑り防止効果を長期にわたって安定維持することができる。
【００４５】
なお、本発明において、ダクト１３及びポート１５を装備する前面壁１６の具体的な形状は、上記実施の形態に限らない。
図１１は、キャビネット上のダクト及びポートの装備位置の他の実施の形態を説明する模式図である。例えば、図１１の（ａ）に示すように、前面壁１６を、左右方向には傾斜せず、単純に先端が前方に向かって下方に傾斜した単一のスラント壁１６Ａにすることもでき、また、図１１（ｂ）に示すように、前方下がりのスラント壁にはせずに、両側を後方に後退させただけの左右一対の傾斜壁１６Ｂ，１６Ｃに形成するようにしても良い。
また、図１１（ｃ）に示すように、キャビネット５内部はスピーカユニットを支持する仕切壁によって上下に分割して、上方のキャビネット部分の前面１６Ｄは下方のキャビネット部分の前面１６Ｅよりも後退させて、後退した前面１６Ｄにダクト１３及びポート１５を装備するようにしても良い。このようにしても、傾斜壁とした場合と同様に、ポート１５が近接するシート背もたれ等によって塞がれることを防止することができる。
【００４６】
以上、詳述したように、本発明の実施の形態に係る低音再生用スピーカ装置は、キャビネット５の内部が、スピーカユニット３を取り付ける仕切板７により、スピーカユニット３の背面を密封する第１気室９と、スピーカユニット３の前面を囲繞する第２気室１１とに区画されると共に、第２気室１１を形成するキャビネット壁には、スピーカユニット３が第２気室内１１に発生した音波の内の特定の周波数帯域の低音を外部に放射するダクト１３及びポート１５が装備されて、サブウーファとして車載の音響システムに接続されるケルトン方式の低音再生用スピーカ装置１であって、キャビネット５は、前後に細長い略直方体形状で、前後方向の長さ寸法が車両のシートクッション２５の奥行き寸法に略近い値に設定され、前面壁にダクト１３及びポート１５が装備され、仕切板７は、スピーカユニット３の前面をキャビネット前面側に向けて支持して、キャビネット５の内部を前後に区画し、キャビネット５の下面に前後方向に沿って敷設された固定用ベルト２３をシートクッション２５に縛り付けることで、シートクッション２５にキャビネット５が固定される。
これにより、キャビネット５に十分な容量を確保して再生性能の向上を図ることができ、しかも、多車種に汎用的に搭載できるため、量産によるコスト低減を図ることができ、更に、搭載の際の着脱も容易にでき、着脱用の機構のためにキャビネット５内の気室容積の低減やキャビネット構造の複雑化が生じることがない、優れた低音再生用スピーカ装置を提供することができる。
【００４７】
また、ダクト１３及びポート１５が装備されるキャビネットの前面壁１６が傾斜壁であるため、該前面壁１６の先端がシート背もたれや、車内のサイドパネル等の略垂直な壁面に接近した設置状態になる場合でも、音の放射口であるポート１５が塞がれることがなく、安定した音の放射性能を確保することにより安定した低音再生特性を発揮できる。
更に、キャビネット下面５ａは、キャビネット５の両側縁よりも中央部が凹んだ凹曲面６２に形成されているため、車両のシートクッション２５に設置した際に、座りが良く、ぐらつきの無い安定した状態にキャビネット５を固定することもできる。
【図面の簡単な説明】
【００４８】
【図１】本発明に係る低音再生用スピーカ装置の一実施の形態の斜視図である。
【図２】図１に示した低音再生用スピーカ装置の正面図である。
【図３】図２のＡ−Ａ線に沿う断面図である。
【図４】図２のＢ−Ｂ線に沿う断面図である。
【図５】図２のＣ矢視図である。
【図６】図１に示した低音再生用スピーカ装置の車両のシートへ取り付ける前の状態の概略側面図である。
【図７】図１に示した低音再生用スピーカ装置におけるベルト押えブラケットへの固定用ベルトの装着例を示す分解斜視図である。
【図８】図１に示した低音再生用スピーカ装置の車両のシートへ取り付けた状態の説明図である。
【図９】図１に示した低音再生用スピーカ装置の乗用車の後部シートへ取り付けた状態の斜視図である。
【図１０】図１に示した低音再生用スピーカ装置におけるベルト押えブラケットへの固定用ベルトの他の装着例を示す分解斜視図である。
【図１１】キャビネット上のダクト及びポートの装備位置の他の実施の形態を説明する模式図である。
【符号の説明】
【００４９】
１  低音再生用スピーカ装置
３  スピーカユニット
５  キャビネット
５ａ  下面
７  仕切板
９  第１気室
１１  第２気室
１３  ダクト
１５  ポート
１６  前面壁
１７，１８  傾斜面
２０  挾持部
２３  固定用ベルト
２４  ねじ
２５  シートクッション
２７  ベルト押えブラケット
２７ａ  板部
３０  シート状弾性摩擦材
４０  シート状弾性摩擦材
４１  内面接触部
４２  外面接触部
４３  折り返し部
５１  下部ケース
５１ａ  連結支柱
５３  上部ケース
５３ａ  連結支柱
５４  ねじ
５６  クッション材
５９  凹部
６１  入力端子
６２  凹曲面
６３  空洞
【図１】
2006262430.tif 000003
【図２】
2006262430.tif 000004
【図３】
2006262430.tif 000005
【図４】
2006262430.tif 000006
【図５】
2006262430.tif 000007
【図６】
2006262430.tif 000008
【図７】
2006262430.tif 000009
【図８】
2006262430.tif 000010
【図９】
2006262430.tif 000011
【図１０】
2006262430.tif 000012
【図１１】
2006262430.tif 000013